(57)【要約】  本発明は、食器洗浄機（１）であって、洗浄庫（２）と、食器を洗剤溶液によって洗浄するための装置と、収着乾燥装置（２１）とが設けられており、該収着乾燥装置（２１）が、洗浄庫の出口（５）と洗浄庫の入口（８）とを介して洗浄庫に空気案内式に接続されていて、可逆的に脱水可能な材料（１１）を含んだ収着カラム（１０）を有している形式のものに関する。本発明によれば、収着乾燥装置（２１）が、洗浄庫壁（２２）と当該食器洗浄機（１）の外側のハウジング壁（２３）との間に配置されていることが提案されている。
2008522691.tif 000002
【特許請求の範囲】
【請求項１】
食器洗浄機（１）であって、洗浄庫（２）と、食器を洗剤溶液によって洗浄するための装置と、収着乾燥装置（２１）とが設けられており、該収着乾燥装置（２１）が、洗浄庫の出口（５）と洗浄庫の入口（８）とを介して洗浄庫（２）に空気案内式に接続されていて、可逆的に脱水可能な材料（１１）を含んだ収着カラム（１０）を有している形式のものにおいて、収着乾燥装置（２１）が、洗浄庫壁（２２）と当該食器洗浄機（１）の外側のハウジング壁（２３）との間に配置されていることを特徴とする、食器洗浄機。
【請求項２】
収着カラムが、１つには、食器を乾燥させるために使用されるようになっており、もう１つには、収着カラムの脱着のために使用される熱エネルギが、洗浄庫（２）内に位置する洗剤溶液および／または洗浄物を加熱するために使用されるようになっている、請求項１記載の食器洗浄機。
【請求項３】
洗浄庫（２）からの空気および／または周辺空気が、加熱したい洗剤溶液によるパートプログラムステップの間、有利にはパートプログラムステップ「本洗い」および／または「予洗い」および／または「仕上げ濯ぎ」の間に収着カラムを通って洗浄庫内に案内可能である、請求項２記載の食器洗浄機。
【請求項４】
可逆的に脱水可能な材料（１１）の脱着および洗剤溶液および／または洗浄物の加熱のために、電気的な加熱エレメント（１２）が配置されている、請求項１から３までのいずれか１項記載の食器洗浄機。
【請求項５】
収着カラム（１０）と、選択的に電気的な加熱エレメント（１２）とが、同心的に出口（５）および／または入口（８）を取り囲んで配置されている、請求項４記載の食器洗浄機。
【請求項６】
加熱エレメント（１２）が、可逆的に脱水可能な材料内にまたは収着カラムへの管路内に配置されている、請求項４または５記載の食器洗浄機。
【請求項７】
出口（５）および／または入口（８）が、侵入する水に対する受動的な閉鎖手段（１５）を備えている、請求項１から６までのいずれか１項記載の食器洗浄機。
【請求項８】
出口（５）および／または入口（８）が、能動的な閉鎖手段（１５）を備えている、請求項１から６までのいずれか１項記載の食器洗浄機。
【請求項９】
閉鎖手段（１５）が、電圧の印加によって操作可能である、請求項８記載の食器洗浄機。
【請求項１０】
収着乾燥装置（２１）のブロワ（９）への電圧の印加によって、該電圧が、閉鎖手段（１５）に印加されている、請求項９記載の食器洗浄機。
【請求項１１】
閉鎖手段（１５）が、感温性の記憶金属によって操作されるようになっている、請求項８記載の食器洗浄機。
【発明の詳細な説明】
【技術分野】
【０００１】
本発明は、食器洗浄機であって、洗浄庫と、食器を洗剤溶液によって洗浄するための装置と、収着乾燥装置とが設けられており、該収着乾燥装置が、洗浄庫の出口と洗浄庫の入口とを介して洗浄庫に空気案内式に接続されていて、可逆的に脱水可能な材料を含んだ収着カラムを有している形式のものに関する。
【０００２】
慣用の食器洗浄機は、知られているように、一般的に少なくとも１回のパートプログラムステップ「予洗い」と、１回のパートプログラムステップ「本洗い」と、少なくとも１回のパートプログラムステップ「濯ぎ」と、１回のパートプログラムステップ「仕上げ濯ぎ」と、１回のパートプログラムステップ「乾燥」とから成るプログラム実行を備えた洗浄法を有している。この場合、洗浄効果を高めるためには、洗浄液が所定のパートプログラムステップの前にまたは所定のパートプログラムステップの間に加熱される。洗浄液の加熱は、通常、電気的な加熱エレメントによって行われる。食器洗浄機内の洗浄物を乾燥させるためには、種々異なる乾燥システムが知られている。
【０００３】
したがって、ドイツ連邦共和国特許出願公開第２０１６８３１号明細書に基づき、冒頭で述べた形式の食器洗浄機が公知である。この公知の食器洗浄機では、洗浄庫からの空気が、この洗浄庫の壁に設けられた閉鎖可能な開口を介して、可逆的に脱水可能な材料に案内され、そこから１つの開口を介して外方に案内される。可逆的に脱水可能な材料の脱着は、機器の停止段階の間に行われる。この場合、その際に生ぜしめられた水蒸気が開口を介して外方に案内される。記載された食器洗浄機は、エネルギ的な観点から不利である。なぜならば、可逆的に脱水可能な材料の再生が機器の停止段階の間ひいては冒頭に記載したパートプログラムステップのいずれも実施されない時点に行われるからである。さらなる欠点は、可逆的に脱水可能な材料の再生の間に生ぜしめられた水蒸気の外方への導出によって、周辺の台所家具の損害を排除することができないことにある。この場合、再生は付加的なエネルギ要求に結び付けられている。このエネルギ要求は、パートプログラムステップの間に必要となるエネルギ要求に対して付加的に生ぜしめられる。
【０００４】
食器洗浄機の運転時のエネルギ消費を可能な限り僅かに保つために、当該出願人のドイツ連邦共和国特許出願第１０３５３７７４．０号明細書に基づき、洗浄庫と、食器を洗剤溶液（本洗い時に使用される本洗い用洗剤溶液および仕上げ濯ぎ時に使用される仕上げ濯ぎ用洗剤溶液）によって洗浄するための装置とを備えた食器洗浄機が公知である。この公知の食器洗浄機は、洗浄庫に空気案内式に接続された、可逆的に脱水可能な材料を含有した収着カラムを有している。この場合、この収着カラムは、１つには、食器を乾燥させるために少なくとも部分的に使用され、もう１つには、収着カラムの脱着のために使用される熱エネルギが、洗浄庫内に位置する洗剤溶液および／または食器を加熱するために少なくとも部分的に使用される。
【０００５】
同じ問題を解決するために、当該出願人のドイツ連邦共和国特許出願第１０３５３７７５．９号明細書は、機器を少なくとも１回のパートプログラムステップ「乾燥」で運転するために、処理室からの空気および／または周辺空気からの空気を収着カラムを通して処理室内に案内することを提案している。この場合、収着カラムは、可逆的に脱水可能な材料を含有していて、空気から通過案内の間に湿分を奪取する。
【０００６】
吸湿性の特性を備えた可逆的に脱水可能な材料、たとえばゼオライトの使用によって、パートプログラムステップ「乾燥」に先行するパートプログラムステップでの処理したい物品の加熱が通常もはや不要となる。これによって、かなりのエネルギ節約が可能になる。
【０００７】
欧州特許第０３５８２７９号明細書に基づき、閉じられた乾燥システムを備えた食器洗浄機が公知である。この乾燥システムでは、洗浄庫からの空気が、加熱によって再生可能な乾燥装置を介して、この乾燥装置から洗浄庫内に戻るように循環する。乾燥装置は、洗浄庫の外部に配置された、洗剤溶液のためのヒータ、有利にはフロースルーヒータに対応配置されている。洗浄庫の出口は洗浄庫の天井に位置しているのに対して、入口は洗浄庫の洗浄槽に組み込まれている。洗浄庫の出口は空気通路を介して収着乾燥装置に接続されている。この収着乾燥装置が洗剤溶液のためのヒータに対応配置されていることに応じて、収着乾燥装置は洗浄槽の下方の領域に配置されている。
【０００８】
上述した全ての配置形式には、食器洗浄機への収着乾燥装置の組込みが構想的にしか記載されていないことが共通している。したがって、本発明の課題は、収着乾燥装置を簡単にかつ廉価に組み込むことができる食器洗浄機を提供することである。
【０００９】
この課題を解決するために本発明の構成では、収着乾燥装置が、洗浄庫壁と当該食器洗浄機の外側のハウジング壁との間に配置されているようにした。
【００１０】
本発明の有利な構成によれば、収着カラムが、１つには、食器を乾燥させるために使用されるようになっており、もう１つには、収着カラムの脱着のために使用される熱エネルギが、洗浄庫内に位置する洗剤溶液および／または洗浄物を加熱するために使用されるようになっている。
【００１１】
本発明の有利な構成によれば、洗浄庫からの空気および／または周辺空気が、加熱したい洗剤溶液によるパートプログラムステップの間、有利にはパートプログラムステップ「本洗い」および／または「予洗い」および／または「仕上げ濯ぎ」の間に収着カラムを通って洗浄庫内に案内可能である。
【００１２】
本発明の有利な構成によれば、可逆的に脱水可能な材料の脱着および洗剤溶液および／または洗浄物の加熱のために、電気的な加熱エレメントが配置されている。
【００１３】
本発明の有利な構成によれば、収着カラムと、選択的に電気的な加熱エレメントとが、同心的に出口および／または入口を取り囲んで配置されている。
【００１４】
本発明の有利な構成によれば、加熱エレメントが、可逆的に脱水可能な材料内にまたは収着カラムへの管路内に配置されている。
【００１５】
本発明の有利な構成によれば、出口および／または入口が、侵入する水に対する受動的な閉鎖手段を備えている。
【００１６】
本発明の有利な構成によれば、出口および／または入口が、能動的な閉鎖手段を備えている。
【００１７】
本発明の有利な構成によれば、閉鎖手段が、電圧の印加によって操作可能である。
【００１８】
本発明の有利な構成によれば、収着乾燥装置のブロワへの電圧の印加によって、該電圧が、閉鎖手段に印加されている。
【００１９】
本発明の有利な構成によれば、閉鎖手段が、感温性の記憶金属によって操作されるようになっている。
【００２０】
本発明による食器洗浄機、特に家庭用食器洗浄機は、洗浄庫と、食器を洗剤溶液によって洗浄するための装置と、収着乾燥装置とを有している。この収着乾燥装置は洗浄庫の出口と洗浄庫の入口とを介して洗浄庫に空気案内式に接続されていて、可逆的に脱水可能な材料を含んだ収着カラムを有している。この場合、収着乾燥装置は洗浄庫壁と食器洗浄機の外側のハウジング壁との間に配置されている。
【００２１】
１つの構成によれば、収着カラムが、１つには、食器を乾燥させるために使用され、もう１つには、収着カラムの脱着のために使用される熱エネルギが、洗浄庫内に位置する洗剤溶液および／または洗浄物を加熱するために使用される。食器洗浄機は、当該出願人のドイツ連邦共和国特許出願第１０３５３７７４．０号明細書および／またはドイツ連邦共和国特許出願第１０３５３７７５．０号明細書に記載されているような機能原理から形成されていてよい。当該刊行物の内容は、有利である限り、本出願に取り込まれる。ここに記載された機械は、収着乾燥装置の有利な配置の点で異なっている。
【００２２】
有利な特徴によれば、洗浄庫からの空気および／または周辺空気からの空気が、加熱したい洗剤溶液によるパートプログラムステップの間、有利にはパートプログラムステップ「本洗い」および／または「予洗い」および／または「仕上げ濯ぎ」の間に収着カラムを通って洗浄庫内に案内される。
【００２３】
有利には、可逆的に脱水可能な材料の脱着および洗剤溶液および／または洗浄物の加熱のために、電気的な加熱エレメントが配置されている。
【００２４】
有利な構成では、収着カラムと、選択的に電気的な加熱エレメントとが、同心的に出口および／または入口を取り囲んで配置されている。この同心的な構造によって、特に僅かな構造高さひいては収着乾燥装置の特にスペース効率のよい構成とが得られる。その他の点では、洗浄槽の下方に配置された機能エレメントの配置形式が、慣用の食器洗浄機に対して変更される必要はない。出口は１つの側壁に位置している。１つまたはそれ以上の入口は、同一の洗浄庫壁、洗浄槽または洗浄庫天井に配置されていてよい。この場合、最初に記載した構成は、特に簡単な設計上の構成の利点を提供する。なぜならば、空気通路の組付けを十分に省略することができるからである。他方では、空気通路を設けることが、冒頭で述べた、凝縮面の形成の利点を提供し、これによって、収着乾燥装置の収着カラムを全体的により小さく形成することができる。
【００２５】
電気的な加熱エレメントは、有利には、可逆的に脱水可能な材料内にまたは収着カラムへの管路内に配置されている。
【００２６】
別の有利な構成によれば、出口および／または入口が、侵入する水に対する受動的な閉鎖手段を備えていることが提案されている。これは、最も簡単な事例では、出口もしくは入口の上方に設けられたカバーであってよい。このカバーは、有利には、同時に空気流の流れ方向が規定されるように形成されており、これによって、空気の可能な限り良好な渦流が洗浄庫内に得られ、これによって、良好な湿分吸収が実現されている。
【００２７】
択一的な構成では、出口および／または入口が能動的な閉鎖手段を備えていることが提案されていてよい。この閉鎖手段は、たとえば電圧の印加によって操作可能に形成することができる。したがって、閉鎖手段をモータ駆動式にまたはハイドロリック式に形成することができる。この場合、収着乾燥装置のブロワへの電圧の印加によって、この電圧が閉鎖手段に印加されていると特に有利であり、これによって、閉鎖手段が開放され、これによって、収着乾燥装置への空気循環路が提供される。この場合、入口と出口とは、収着カラムの再生段階の間およびパートプログラムステップ「乾燥」の間に開放されていさえすればよい。その他のパートプログラムステップの間には、閉鎖手段が確実なシーリングのために働き、これによって、電気的な機能エレメントを有する収着乾燥装置内への噴射水の侵入が阻止される。
【００２８】
別の有利な構成では、閉鎖手段が、感温性の記憶金属によって操作されてもよい。この場合、閉鎖手段の制御は電気的な形式で行われるのではなく、種々異なるパートプログラムステップの間に生ぜしめられる温度に基づき行われる。
【００２９】
以下に、本発明を１つの図面につき詳しく説明する。この図面には、本発明による食器洗浄機の１つの実施例が示してある。
【００３０】
図１には、本発明による食器洗浄機１が概略図で示してある。この食器洗浄機１は洗浄庫２を備えている。この洗浄庫２内には、洗浄物（図示せず）を整理して入れるための食器かご（図示せず）が配置されている。食器洗浄機１は、洗浄庫２に空気案内式に接続された、可逆的に脱水可能な材料１１を含有した収着カラム１０を有している。この場合、この収着カラム１０は、１つには、乾燥のために使用され、もう１つには、通過案内される空気を加熱するためにも使用される。洗浄庫２は、記載した実施例において中間の領域に配置された出口５と、記載した実施例において洗浄槽６の近くに配置された入口８とを有している。この入口８は、空気通路１７として形成された管路を介して収着カラム１０に接続されている。この収着カラム１０のほかに、収着乾燥装置２１はブロワ（図示せず）と加熱エレメント１２とを有している。収着乾燥装置２１を通る空気路は矢印Ａ，Ｂ，Ｃによって図示してある。
【００３１】
収着乾燥装置２１は洗浄庫壁２２と外側のハウジング壁２３との間に配置されている。この場合、電気的な加熱エレメント１２と収着カラム１０とは同心的に出口５を取り囲んで配置されている。これによって、特にスペース節約的な配置形式が得られる。なぜならば、洗浄槽の下方の、通常、食器洗浄機の全ての機能構成要素が配置されている付加的なスペースが要求されないからである。出口５は、図示の実施例では、洗浄庫壁２２の中心に位置している。ただ１つの入口８は例示的にしか図示されていない。この入口８は、収着乾燥装置２１の下方で洗浄庫壁２２の下側の領域に位置していて、空気通路１７を介して収着乾燥装置２１に接続されている。
【００３２】
別の構成によれば、たとえば同心的に出口５を取り囲んで配置された多数の入口８が設けられていてもよい。
【００３３】
別の構成では、入口８が洗浄槽にまたは洗浄庫天井に配置されていてもよい。
【００３４】
これまでの記載と異なり、図１に符号５で示した出口が収着乾燥装置２１の入口を成していてもよい。この場合、図１に符号８で示した入口は収着乾燥装置２１の出口を成している。これによって、洗浄庫２の出口が空気通路１７を介して収着カラム１０に接続されている。この場合、空気通路１７を凝縮面として形成することができる。これによって、湿分を帯びた空気に含有された湿分が減少させられる。これによって、収着カラム１０がより小さく寸法設定可能となる。
【００３５】
図１に示していないブロワは、アキシャルブロワとして出口５の領域に形成されていてもよい。この場合、この構成では、侵入する噴射水に対する十分な防護が考慮されていなければならない。この場合、上述したように、特に能動的な閉鎖手段を設けることが提供される。しかし、ブロワをラジアルブロワとして空気通路１７内に配置することも可能である。
【００３６】
洗浄庫内に位置する洗浄物が負荷されるパートプログラムステップの間に出口５ならびに入口８ひいては収着乾燥装置２１の電気的な機能部材（ブロワ、加熱エレメント１２）に噴射水が侵入することを阻止するためには、出口５が閉鎖手段を有している。この閉鎖手段は、最も簡単な事例では、たとえば流れ機能を備えたカバーの形の受動的な閉鎖手段として形成されていてよい（図示せず）。相応して、入口８が閉鎖手段１５を有している。この閉鎖手段１５は、たとえば流れ機能を備えたカバーとして形成されていてよい。
【００３７】
出口５と入口８とが、同じく図示していない別の構成によれば、能動的に操作される閉鎖手段を備えていてもよい。この閉鎖手段は、収着乾燥装置２１の運転の間に開放されていて、その他のパートプログラムステップでは閉鎖されている。この場合、ブロワおよび／または電気的な加熱エレメントの運転への直接的な関連付けが特に有利である。したがって、能動的な閉鎖手段がモータ駆動式にかつ／またはハイドロリック式に操作されてもよい。この場合、この操作は収着乾燥装置の運転に関連して行われる。択一的には、種々異なるパートプログラムステップの間の変化する温度に基づき開閉位置にもたらすことができる記憶金属の使用が可能であってもよい。
【００３８】
本発明によって、経済的な観点下で製作可能であり、洗浄庫内に位置する洗浄物を効率よく洗浄することができると共に乾燥させることができる食器洗浄機が提供されている。この場合、これに結び付けられたエネルギ消費は僅かに保つことができる。
【図面の簡単な説明】
【００３９】
【図１】本発明による食器洗浄機の１つの実施例を示す図である。
【符号の説明】
【００４０】
１  食器洗浄機、  ２  洗浄庫、  ５  出口、  ６  洗浄槽、  ８  入口、  １０  収着カラム、  １１  材料、  １２  加熱エレメント、  １５  閉鎖手段、  １７  空気通路、  ２１  収着乾燥装置、  ２２  洗浄庫壁、  ２３  ハウジング壁、  Ａ  空気路、  Ｂ  空気路、  Ｃ  空気路
【図１】
2008522691.tif 000003
【国際調査報告】
2008522691.tif 000004
2008522691.tif 000005
2008522691.tif 000006
2008522691.tif 000007
2008522691.tif 000008
2008522691.tif 000009